(57)【要約】【課題】鍵を携帯していなくとも、屋内のドアの施錠、解錠を可能とすることで、防犯性を高めることである。【解決手段】このドアロックシステムには、ドアを施錠するためのドアロック機構と、ドアに対するノックを検出するノックセンサと、ノックセンサにより検出されたノックの回数及びリズムの少なくとも１つからなる検出パターンを記憶する検出パターン記憶部と、ドアロック機構を動作させるための基準パターンを記憶する基準パターン記憶部と、検出パターン記憶部に記憶された検出パターンと、基準パターン記憶部に記憶された基準パターンとを照合し、合致した場合にはドアロック機構を動作させ、施錠若しくは解錠する制御部とが備えられている。【選択図】図２
2010071006.tif 000002
【特許請求の範囲】
【請求項１】
ドアを施錠するためのドアロック機構と、
前記ドアに対するノックを検出するノックセンサと、
前記ノックセンサにより検出されたノックの回数及びリズムの少なくとも１つからなる検出パターンを記憶する検出パターン記憶部と、
前記ドアロック機構を動作させるための基準パターンを記憶する基準パターン記憶部と、
前記検出パターン記憶部に記憶された前記検出パターンと、前記基準パターン記憶部に記憶された前記基準パターンとを照合し、合致した場合には前記ドアロック機構を動作させ、施錠若しくは解錠する制御部とを備えることを特徴とするドアロックシステム。
【請求項２】
請求項１記載のドアロックシステムにおいて、
前記ノックセンサは、前記ノックの音を検出する音センサであることを特徴とするドアロックシステム。
【請求項３】
請求項１記載のドアロックシステムにおいて、
前記ノックセンサは、前記ドアにおけるノック対象位置に形成された中空部内の圧力を検出する圧力センサであることを特徴とするドアロックシステム。
【請求項４】
請求項１記載のドアロックシステムにおいて、
前記ノックセンサは、前記ドアにおけるノック対象位置の振動を検出する振動センサであることを特徴とするドアロックシステム。
【請求項５】
請求項３又は４記載のドアロックシステムにおいて、
前記ノック対象位置の表面は、遮音性を有する素材により覆われていることを特徴とするドアロックシステム。
【請求項６】
請求項１〜５のいずれか一項に記載のドアロックシステムにおいて、
前記基準パターンを新たな基準パターンに切り替えるため、当該新たな基準パターンが入力される入力部を備え、
前記基準パターン記憶部は、前記入力部に前記新たな基準パターンが入力されると、記憶していた従前の前記基準パターンを消去して、前記新たな基準パターンを記憶することを特徴とするドアロックシステム。
【発明の詳細な説明】
【技術分野】
【０００１】
本発明は、屋内のドアに設けられたドアロック機構の施錠、解錠をするためのドアロックシステムに関する。
【背景技術】
【０００２】
従来、ドアには施錠をするためのドアロック機構が設けられている。ドアロック機構の施錠、解錠には一般的な鍵だけでなく、電子的な鍵（電子鍵）が用いられている（例えば特許文献１参照）。
【特許文献１】特開２００４−１２４６８６号公報
【発明の開示】
【発明が解決しようとする課題】
【０００３】
ここで、従来のようなドアロック機構であれば、施錠若しくは解錠する際に常に鍵を携帯しておかなければならない。多くの人は、外出時に鍵を携帯することは習慣付いているが、屋内を移動する際にはその屋内にある各ドアの鍵を携帯することが煩わしく習慣付いていないのが実状である。
【０００４】
そこで、本発明の課題は、鍵を携帯していなくとも、屋内のドアの施錠、解錠を可能とすることで、防犯性を高めることである。
【課題を解決するための手段】
【０００５】
請求項１記載の発明は、例えば図１〜２に示すドアロックシステムにおいて、
ドア１を施錠するためのドアロック機構３と、
前記ドア１に対するノックを検出するノックセンサ４１と、
前記ノックセンサ４１により検出されたノックの回数及びリズムの少なくとも１つからなる検出パターンを記憶する検出パターン記憶部４２と、
前記ドアロック機構を動作させるための基準パターンを記憶する基準パターン記憶部４３と、
前記検出パターン記憶部４２に記憶された前記検出パターンと、前記基準パターン記憶部４３に記憶された前記基準パターンとを照合し、合致した場合には前記ドアロック機構３を動作させ、施錠若しくは解錠する制御部４６とを備えることを特徴としている。
【０００６】
請求項１記載の発明によれば、ドア１がノックされた際のその検出パターンを、基準パターンと照合して、これらが合致した場合にのみドアロック機構３が動作するので、ユーザが鍵を携帯していなくともドアロック機構３の施錠及び解錠が可能となり、防犯性を高めることができる。
【０００７】
請求項２記載の発明は、例えば図２に示すように、請求項１記載のドアロックシステムにおいて、
前記ノックセンサ４１は、前記ノックの音を検出する音センサであることを特徴としている。
【０００８】
請求項２記載の発明によれば、ノックセンサ４１が音センサであるので、ノック音によりノックの検出パターンを検出することができる。そして、音センサであれば、ノック音が伝播する範囲内であればドア以外にも設置することが可能となる。
【０００９】
請求項３記載の発明は、例えば図２〜４に示すように、請求項１記載のドアロックシステムにおいて、
前記ノックセンサ４１は、前記ドア１におけるノック対象位置５０に形成された中空部５１内の圧力を検出する圧力センサ５２であることを特徴としている。
【００１０】
請求項３記載の発明によれば、ノックセンサ４１が、ドアにおけるノック対象位置５０に形成された中空部５１内の圧力を検出する圧力センサ５２であるので、ノックによる中空部５１の圧力変動によりノックを検出することができる。ここで、ノック音が広範囲に伝播してしまうと、ドアロック機構３を動作させるための検出パターン（基準パターン）が周囲の他人にも知れわたるおそれがあるが、ノックセンサ４１が圧力センサ５２であれば、ノック音の小さなノックであっても圧力変動さえ検出できればその検出パターンを検出することが可能となる。
【００１１】
請求項４記載の発明は、例えば図２〜図４に示すように請求項１記載のドアロックシステムにおいて、
前記ノックセンサ４１は、前記ドアにおけるノック対象位置５０の振動を検出する振動センサであることを特徴としている。
【００１２】
請求項４記載の発明によれば、ノックセンサ４１がドアにおけるノック対象位置５０の振動を検出する振動センサであるので、ノックによる振動によりノックを検出することができる。また、ノックセンサが圧力センサの場合と同様に、ノック音の小さなノックであっても、振動さえ検出できればその検出パターンを検出することが可能となる。
【００１３】
請求項５記載の発明は、例えば図４に示すように、請求項３又は４記載のドアロックシステムにおいて、
前記ノック対象位置５０の表面は、遮音性を有する素材５３により覆われていることを特徴としている。
【００１４】
請求項５記載の発明によれば、ノック対象位置５０の表面が、遮音性を有する素材５３により覆われているので、強くノックされたとしてもノック音が広範囲に伝播することを防止することができる。
【００１５】
請求項６記載の発明は、例えば図２に示すように、請求項１〜５のいずれか一項に記載のドアロックシステムにおいて、
従前の前記基準パターンを新たな基準パターンに切り替えるため、当該新たな基準パターンが入力される入力部４４を備え、
前記基準パターン記憶部４３は、前記入力部４４に前記新たな基準パターンが入力されると、記憶していた前記従前の前記基準パターンを消去して、前記新たな基準パターンを記憶することを特徴としている。
【００１６】
請求項６記載の発明によれば、入力部４４に新たな基準パターンが入力されると、基準パターン記憶部４３は、記憶していた従前の基準パターンを消去して、新たな基準パターンを記憶するので、基準パターンを変更することができ、基準パターンの漏洩に対処することができる。
【発明の効果】
【００１７】
本発明によれば、ドアがノックされた際のその検出パターンを、基準パターンと照合して、これらが合致した場合にのみドアロック機構が動作するので、ユーザが鍵を携帯していなくともドアロック機構の施錠及び解錠が可能となり、防犯性を高めることができる。
【発明を実施するための最良の形態】
【００１８】
以下、本実施形態のドアロックシステムについて説明する。図１は、本実施形態のドアロックシステム１００の概略構成を示す説明図であり、（ａ）は室外側の概略構成を示し、（ｂ）は室内側の概略構成を示している。ドアロックシステム１００は、屋内に設置されたドア１に搭載されるものである。また、ドアロックシステム１００には、ドア１を開閉するためのノブ２と、ドア１を施錠するためのドアロック機構３（図２参照）と、ドアロック機構３を駆動するためのコントロール装置４とが設けられている。コントロール装置４は、室外からの操作を防止するため、ドア１の室内側表面に設置されている。なお、コントロール装置４は、外部から見えないようにドア１に内蔵されていてもよく、その場合は例えばドア１の木口等から着脱可能となっている。
【００１９】
図２はドアロックシステム１００の主制御構成を示すブロック図である。この図２に示すように、コントロール装置４には、ノックセンサ４１、検出パターン記憶部４２、基準パターン記憶部４３、入力部４４、再現部４５及び制御部４６が設けられている。
【００２０】
ノックセンサ４１は、ドア１に対するノックの音を検出することで、ノックを検出する音センサである。
【００２１】
検出パターン記憶部４２は、ノックセンサ４１により検出されたノックの回数及びリズムからなる検出パターンを記憶するものである。ここで検出パターンは、ノックの回数、リズム若しくはこれらの組合せからなるものである。例えばノックの回数のみを検出パターンとする場合には、最初のノックを検出してから所定時間内に検出した総ノック回数を検出パターンとする。また、ノックのリズムのみを検出パターンとする場合には、最初のノックを検出してから一定のリズムで繰り返されるノックの１サイクル分のリズムを検出パターンとする。そして、検出パターンがノック回数とリズムとの組合せからなる場合には、最初のノックを検出してから所定回数だけ検出されたノックの、その所定回数分のリズムを検出パターンとする。
【００２２】
基準パターン記憶部４３は、ドアロック機構３を動作させるための基準パターンを記憶するものである。基準パターン記憶部４３は、常に１つの基準パターンのみを記憶していて、その基準パターンは検出パターンの種類に対応したものである。例えば、検出パターンがノックの回数のみからなる場合では、所定時間内の基準ノック数を基準パターンとする。また、検出パターンがノックのリズムのみからなる場合には、１サイクル分の基準リズムを基準パターンとする。そして、検出パターンがノック回数とリズムとの組合せからなる場合には、所定時間内の基準ノック数及びそのノック数分のリズムを基準パターンとする。
【００２３】
入力部４４は、基準パターン記憶部４３に記憶されている従前の基準パターンを新たな基準パターンに切り替えるため、当該新たな基準パターンが入力されるものである。入力部４４に新たな基準パターンが入力されると、基準パターン記憶部４３が、記憶していた従前の基準パターンを消去して、新たな基準パターンを記憶するようになっている。また、入力部４４には、これ以外にもドアロックシステム１００に関する種々の指示が入力されるようになっている。
【００２４】
再現部４５は、入力部４４に入力された再現指示に基づいて、基準パターン記憶部４３に記憶されている基準パターンや、入力部４４に入力された基準パターンを再現するものである。再現部４５は、基準パターンの再現を視覚的に行ってもよく、聴覚的に行ってもよい。聴覚的に行う場合であると再現部４５としてスピーカ等の音声出力装置を用いることになり、視覚的に行う場合であると再現部４５はモニタ等の画像表示装置を用いることになる。
【００２５】
制御部４６は、検出パターン記憶部４２に記憶された検出パターンと、基準パターン記憶部４３に記憶された基準パターンとを照合し、合致した場合にはドアロック機構３を動作させ、施錠若しくは解錠するものである。ここで、検出パターンはユーザがノックすることにより作成されるパターンであるため、基準パターンに完全に一致することは厳密に言うとない。このため、制御部４６は検出パターンと基準パターンとを照合する際に、その一致度合いがある程度の許容範囲内に収まっている場合に、合致したと判断することが好ましい。
【００２６】
次に、本実施形態の作用について説明する。
まず、ドアロックシステム１００の設置時においては、ユーザは初期設定となる基準パターンを登録すべく、任意の基準パターンを入力部４４に入力して、基準パターン記憶部４３に記憶させる。
【００２７】
設置後、ユーザが退室する際には、ドア１を閉じた後に基準パターンに相当するパターンでノックをする。このノックは、ノックセンサ４１に検出されて、検出パターン記憶部４２に記憶される。制御部４６は、検出パターン記憶部４２に記憶された検出パターンと、基準パターン記憶部４３に記憶された基準パターンとを照合し、合致した場合にはドアロック機構３を動作させ、施錠する。なお、ドア１を閉じた後に制御部４６が自動的にドアロック機構３を動作させて施錠させるようにしてもよい。
【００２８】
一方、ユーザが入室する際には、閉状態のドア１に対して、基準パターンに相当するパターンでノックをする。このノックは、ノックセンサ４１に検出されて、検出パターン記憶部４２に記憶される。制御部４６は、検出パターン記憶部４２に記憶された検出パターンと、基準パターン記憶部４３に記憶された基準パターンとを照合し、合致した場合にはドアロック機構３を動作させ、解錠する。
【００２９】
退室時及び入室時のいずれの場合でも、照合の結果、不一致の場合には、制御部４６はドアロック機構３を動作させずに、そのままの状態で待機する。
【００３０】
また、基準パターンの変更時には、ユーザは新たな基準パターンを登録すべく、任意の基準パターンを入力部４４に入力する。これに基づき、基準パターン記憶部４３は、記憶していた従前の基準パターンを消去して、新たな基準パターンを記憶する。
基準パターンの確認時においては、ユーザは入力部４１に再現指示を入力する。これに基づき、基準パターン記憶部４３に記憶されている基準パターンや、入力部４４に入力された基準パターンが再現部４５によって再現される。
【００３１】
以上のように、本実施形態によれば、ドア１がノックされた際のその検出パターンを、基準パターンと照合して、これらが合致した場合にのみドアロック機構３が動作するので、ユーザが鍵を携帯していなくともドアロック機構３の施錠及び解錠が可能となり、防犯性を高めることができる。
【００３２】
また、ノックセンサ４１が音センサであるので、ノック音によりノックの検出パターンを検出することができる。そして、本実施形態では、ノックセンサ４１がコントロール装置４とともにドア１に対して一体型となっているが、当該ノックセンサが音センサであるので、ノック音が伝播する範囲内であればドア以外にも設置することが可能となる。
【００３３】
そして、入力部４４に新たな基準パターンが入力されると、基準パターン記憶部４３は、記憶していた従前の基準パターンを消去して、新たな基準パターンを記憶するので、基準パターンを変更することができる。万が一、基準パターンが漏洩したとしても、基準パターンを変更することで、それに対処することができる。
【００３４】
なお、本発明は上記実施形態に限らず適宜変更可能であるのは勿論である。
例えば、本実施形態では、ノックセンサ４１が音センサである場合を例示して説明したが、ノックを検出できるのであれば如何なるセンサであっても構わない。例えば、ノックセンサとして圧力センサを用いる場合には、図３及び図４に示すように、ドア１ａにおけるノック対象位置５０に中空部５１を形成し、その中空部５１内に圧力センサ５２を設置する。ノック対象位置５０に対してノックが行われると、その箇所が凹むために、中空部５１に圧力変動が生ずる。この圧力変動を圧力センサ５２が検出することで、ノックが検出されることになる。ここで、ノック音が広範囲に伝播してしまうと、ドアロック機構３を動作させるための検出パターン（基準パターン）が周囲の他人にも知れわたるおそれがあるが、圧力センサ５２であれば、ノック音の小さなノックであっても圧力変動さえ検出できればその検出パターンを検出することが可能となる。
【００３５】
また、ノックセンサとしてノック対象位置５０の振動を検出する振動センサを用いることも可能である。振動センサであれば、ノックによる振動によりノックを検出することができる。また、ノックセンサが圧力センサの場合と同様に、ノック音の小さなノックであっても、振動さえ検出できればその検出パターンを検出することが可能となる。
【００３６】
ノックセンサとして圧力センサ若しくは振動センサを用いる場合には、図４に示すように、ノック対象位置５０の表面を、遮音性を有する素材５３で覆うことが好ましい。これにより、強くノックされたとしてもノック音が広範囲に伝播することを防止することができ、防犯性を高めることが可能である。
【００３７】
上述した音センサ以外にも、ドア１表面の変位を検出するセンサ（例えば静電容量センサ等）や、ドア１の表面自体に加えられた圧力を検出する圧力センサ（例えばストレインゲージ等）を用いることも可能である。
【図面の簡単な説明】
【００３８】
【図１】本実施形態のドアロックシステムの概略構成を示す説明図であり、（ａ）は室外側の概略構成を示し、（ｂ）は室内側の概略構成を示している。
【図２】図１のドアロックシステムの主制御構成を示すブロック図である。
【図３】ノックセンサの変形例を示すため、ドアの室外側を示す説明図である。
【図４】圧力センサからなるノックセンサを示すための図３におけるＡ−Ａ断面図である。
【符号の説明】
【００３９】
１      ドア
２      ノブ
３      ドアロック機構
４      コントロール装置
４１      ノックセンサ
４２      検出パターン記憶部
４３      基準パターン記憶部
４４      入力部
４５      再現部
４６      制御部
５０      ノック対象位置
５１      中空部
５２      圧力センサ
５３      素材
１００      ドアロックシステム
【図１】
2010071006.tif 000003
【図２】
2010071006.tif 000004
【図３】
2010071006.tif 000005
【図４】
2010071006.tif 000006